(57)【要約】【課題】簡易な構成で堅牢で、接合強度及び耐漏水性能が高く、安全性と衛生面に優れた液体物の運搬袋及び液体物の運搬袋の製造方法を提供し、非常時の備えとして災害対策に有効な給水袋及び給水袋の製造方法を提供する。【解決手段】非常時の給水等に用いられる液体物の運搬袋であって、略八角形の第一及び第二のフィルム部材と、略六角形の第三のフィルム部材と、給排水のためのキャップ付きの液体物の運搬口部材と、持ち手部材とから構成され、第三のフィルム部材は第一及び第二のフィルム部材より相対的に面積が小さく、少なくとも第一のフィルム部材、第二のフィルム部材、第三のフィルム部材及び液体物の運搬口部材は融着、圧着或いは接着によって接合され、未注水の保管時には第三のフィルム部材が折り畳まれてコンパクトになり、注水或いは液体物の注入時はかかる部分がマチ状に展開することにより可搬体積を増大させるようにした。【選択図】図１
2018012543.tif 000002
【特許請求の範囲】
【請求項１】
非常時の液体物の運搬運搬等に用いられる液体物の運搬袋であって、
略八角形の第一及び第二のフィルム部材と、
略六角形の第三のフィルム部材と、
給排水のためのキャップ付きの液体物の運搬口部材と、
持ち手部材とから構成され、
第三のフィルム部材は第一及び第二のフィルム部材より相対的に面積が小さく、
少なくとも第一のフィルム部材、第二のフィルム部材、第三のフィルム部材及び液体物の運搬口部材は融着、圧着或いは接着によって接合され、
未注水の保管時には第三のフィルム部材が折り畳まれてコンパクトになり、
注水或いは液体物の注入時はかかる部分がマチ状に展開することにより可搬体積を増大させることを特徴とする、
液体物の運搬袋。
【請求項２】
該第一のフィルム部材、第二のフィルム部材、第三のフィルム部材及び液体物の運搬口部材の接合は、
熱圧着により行われることを特徴とする、
請求項１記載の液体物の運搬袋。
【請求項３】
該液体物の運搬口部材は該第一のフィルム部材及び第二のフィルム部材との接合部が略口唇状の形状を有する接合部位が設けられてなり、
該接合部位と該第一のフィルム部材及び第二のフィルム部材とを接合することにより接合強度及び耐漏水性能を向上せしめたことを特徴とする、
請求項１又は２記載の液体物の運搬袋。
【請求項４】
該液体物の運搬口部材は、略口唇状の形状を有する接合部位の両端部に更に接合補強部材が設けられてなり、
さらに接合強度及び耐漏水性能を向上せしめたことを特徴とする、
請求項３記載の液体物の運搬袋。
【請求項５】
該第一のフィルム部材、第二のフィルム部材、第三のフィルム部材は、
ポリエチレン製であることを特徴とする、
請求項１乃至４の何れか一に記載の液体物の運搬袋。
【請求項６】
該第一のフィルム部材、第二のフィルム部材、第三のフィルム部材は、
三層構造であり、
内層及び外層がポリエチレンであることを特徴とする、
請求項５記載の液体物の運搬袋。
【請求項７】
該第一のフィルム部材、第二のフィルム部材、第三のフィルム部材は、
三層構造であり、
内層及び外層がポリエチレンであり、中層がナイロンであることを特徴とする、
請求項６記載の液体物の運搬袋。
【請求項８】
該第一のフィルム部材、第二のフィルム部材、第三のフィルム部材は、
ポリエチレン層を含み、
該ポリエチレン層は高密度ポリエチレンであることを特徴とする、
請求項５乃至７の何れか一に記載の液体物の運搬袋。
【請求項９】
該第一のフィルム部材、第二のフィルム部材、第三のフィルム部材は、
その水蒸気透過率が１０ｇ／ｍ2２４ｈ以下であることを特徴とする、
請求項１乃至８の何れか一に記載の液体物の運搬袋。
【請求項１０】
該第一のフィルム部材、第二のフィルム部材、第三のフィルム部材は、
その酸素ガス透過率が１０ｇ／ｍ2２４ｈ以下であることを特徴とする、
請求項１乃至８の何れか一に記載の液体物の運搬袋。
【請求項１１】
該第一のフィルム部材、第二のフィルム部材、第三のフィルム部材は、
その二酸化炭素ガス透過率が５０ｇ／ｍ2２４ｈ以下であることを特徴とする、
請求項１乃至８の何れか一に記載の液体物の運搬袋。
【請求項１２】
該第一のフィルム部材、第二のフィルム部材、第三のフィルム部材は、
その窒素ガス透過率が２ｇ／ｍ2２４ｈ以下であることを特徴とする、
請求項１乃至８の何れか一に記載の液体物の運搬袋。
【請求項１３】
該第一のフィルム部材、第二のフィルム部材、第三のフィルム部材及び液体物の運搬口部材は、
カドミウム及び鉛を含有しないことを特徴とする、
請求項１乃至１２の何れか一に記載の液体物の運搬袋。
【請求項１４】
非常時の液体物の運搬運搬等に用いられる液体物の運搬袋の製造方法であって、
該液体物の運搬袋は略八角形の第一及び第二のフィルム部材と、略六角形の第三のフィルム部材と、給排水のためのキャップ付きの液体物の運搬口部材と、持ち手部材とから構成され、
第三のフィルム部材は第一及び第二のフィルム部材より相対的に面積が小さく、
少なくとも第一のフィルム部材、第二のフィルム部材、第三のフィルム部材及び液体物の運搬口部材は融着、圧着或いは接着によって接合され、
未注水の保管時には第三のフィルム部材が折り畳まれてコンパクトになり、
注水或いは液体物の注入時はかかる部分がマチ状に展開することにより可搬体積を増大させるものであり、
略八角形の第一及び第二のフィルム部材及び略六角形の第三のフィルム部材を接合する第一の工程と、
該第一及び第二のフィルム部材の辺部を接合する第二の工程と、
該第一及び第二のフィルム部材と液体物の運搬口部材を接合する第三の工程と、
持ち手部材の設置部位を回避して該第一及び第二のフィルム部材の上部を接合する第四の工程と、
該持ち手部材を設置する第五の工程と、
周辺部の余分な外形部を切除する第六の工程と、
を経て製造されることを特徴とする、
液体物の運搬袋の製造方法。
【請求項１５】
該第一のフィルム部材、第二のフィルム部材、第三のフィルム部材及び液体物の運搬口部材の接合は、
熱圧着により行われることを特徴とする、
請求項１４記載の液体物の運搬袋の製造方法。
【請求項１６】
該液体物の運搬口部材は該第一のフィルム部材及び第二のフィルム部材との接合部が略口唇状の形状を有する接合部位が設けられてなり、
該接合部位と該第一のフィルム部材及び第二のフィルム部材とを接合することにより接合強度及び耐漏水性能を向上せしめたことを特徴とする、
請求項１４又は１５記載の液体物の運搬袋の製造方法。
【請求項１７】
該液体物の運搬口部材は、略口唇状の形状を有する接合部位の両端部に更に接合補強部材が設けられてなり、
さらに接合強度及び耐漏水性能を向上せしめたことを特徴とする、
請求項１６記載の液体物の運搬袋の製造方法。
【請求項１８】
該第一のフィルム部材、第二のフィルム部材、第三のフィルム部材は、
ポリエチレン製であることを特徴とする、
請求項１４乃至１７の何れか一に記載の液体物の運搬袋の製造方法。
【請求項１９】
該第一のフィルム部材、第二のフィルム部材、第三のフィルム部材は、
三層構造であり、
内層及び外層がポリエチレンであることを特徴とする、
請求項１８記載の液体物の運搬袋の製造方法。
【請求項２０】
該第一のフィルム部材、第二のフィルム部材、第三のフィルム部材は、
三層構造であり、
内層及び外層がポリエチレンであり、中層がナイロンであることを特徴とする、
請求項１９記載の液体物の運搬袋の製造方法。
【請求項２１】
該第一のフィルム部材、第二のフィルム部材、第三のフィルム部材は、
ポリエチレン層を含み、
該ポリエチレン層は高密度ポリエチレンであることを特徴とする、
請求項１８乃至２０の何れか一に記載の液体物の運搬袋の製造方法。
【請求項２２】
該第一のフィルム部材、第二のフィルム部材、第三のフィルム部材は、
その水蒸気透過率が１０ｇ／ｍ2２４ｈ以下であることを特徴とする、
請求項１４乃至２１の何れか一に記載の液体物の運搬袋の製造方法。
【請求項２３】
該第一のフィルム部材、第二のフィルム部材、第三のフィルム部材は、
その酸素ガス透過率が１０ｇ／ｍ2２４ｈ以下であることを特徴とする、
請求項１４乃至２１の何れか一に記載の液体物の運搬袋の製造方法。
【請求項２４】
該第一のフィルム部材、第二のフィルム部材、第三のフィルム部材は、
その二酸化炭素ガス透過率が５０ｇ／ｍ2２４ｈ以下であることを特徴とする、
請求項１４乃至２１の何れか一に記載の液体物の運搬袋の製造方法。
【請求項２５】
該第一のフィルム部材、第二のフィルム部材、第三のフィルム部材は、
その窒素ガス透過率が２ｇ／ｍ2２４ｈ以下であることを特徴とする、
請求項１４乃至２１の何れか一に記載の液体物の運搬袋の製造方法。
【請求項２６】
該第一のフィルム部材、第二のフィルム部材、第三のフィルム部材及び液体物の運搬口部材は、
カドミウム及び鉛を含有しないことを特徴とする、
請求項１６乃至２５の何れか一に記載の液体物の運搬袋の製造方法。
【発明の詳細な説明】
【技術分野】
【０００１】
本発明は、非常時の液体物の運搬運搬、液体物の運搬等に用いられる液体物の運搬袋びかかる液体物の運搬袋の製造方法に関するものである。
【背景技術】
【０００２】
日本国内に於いては多くの自然災害が発生しており、特に最近では東日本大震災、熊本地震などが発生して、ライフラインが寸断され、多くの避難者が発生する事象が生じていた。
【０００３】
このような非常時にあたり、被災者にとって最も必要な事柄は飲料水の確保であると言える。食料の確保等ももちろん重要ではあるが、生存のために飲料水は必須だからである。
【０００４】
これらの非常時には、上水道は不通となることが多く、給水車等による液給水が実施されることが通常である、この際、給水を受けて運搬するための容器が必要になる。このため、非常用備品として自治体や避難所等に備えられる、あるいは家庭に常備するための給水タンクや給水袋が提案されている。
【先行技術文献】
【特許文献】
【０００５】
【特許文献１】特開２００７ー２４６１１９号公報
【特許文献２】特開平８ー２８２６８５号公報
【特許文献３】実用新案登録第３１６９８６５号公報
【発明の概要】
【発明が解決しようとする課題】
【０００６】
本発明が解決しようとする課題は、簡易な構成で堅牢で、接合強度及び耐漏水性能が高く、安全性と衛生面に優れた液体物の運搬袋及び液体物の運搬袋の製造方法を提供し、非常時の備えとして災害対策に有効な液体物の運搬袋及び液体物の運搬袋の製造方法を提供することにある。さらに、かかる液体物の運搬袋は油、調味料、酒類、その他の液体物の保存運搬に活用できる。
【課題を解決するための手段】
【０００７】
本発明は、非常時の給水等に用いられる液体物の運搬袋であって、略八角形の第一及び第二のフィルム部材と、略六角形の第三のフィルム部材と、給排水のためのキャップ付きの液体物の運搬口部材と、持ち手部材とから構成され、第三のフィルム部材は第一及び第二のフィルム部材より相対的に面積が小さく、少なくとも第一のフィルム部材、第二のフィルム部材、第三のフィルム部材及び液体物の運搬口部材は融着、圧着或いは接着によって接合され、未注水の保管時には第三のフィルム部材が折り畳まれてコンパクトになり、注水或いは液体物の注入時はかかる部分がマチ状に展開することにより可搬体積を増大させることを特徴とする、液体物の運搬袋である。
【０００８】
また本発明は、非常時の液体物の運搬運搬等に用いられる液体物の運搬袋の製造方法であって、該液体物の運搬袋は略八角形の第一及び第二のフィルム部材と、略六角形の第三のフィルム部材と、給排水のためのキャップ付きの液体物の運搬口部材と、持ち手部材とから構成され、第三のフィルム部材は第一及び第二のフィルム部材より相対的に面積が小さく、少なくとも第一のフィルム部材、第二のフィルム部材、第三のフィルム部材及び液体物の運搬口部材は融着、圧着或いは接着によって接合され、未注水の保管時には第三のフィルム部材が折り畳まれてコンパクトになり、注水或いは液体物の注入時はかかる部分がマチ状に展開することにより可搬体積を増大させるものであり、略八角形の第一及び第二のフィルム部材及び略六角形の第三のフィルム部材を接合する第一の工程と、該第一及び第二のフィルム部材の辺部を接合する第二の工程と、該第一及び第二のフィルム部材と液体物の運搬口部材を接合する第三の工程と、持ち手部材の設置部位を回避して該第一及び第二のフィルム部材の上部を接合する第四の工程と、該持ち手部材を設置する第五の工程と、周辺部の余分な外形部を切除する第六の工程と、を経て製造されることを特徴とする、液体物の運搬袋の製造方法である。
【０００９】
また本発明は、該第一のフィルム部材、第二のフィルム部材、第三のフィルム部材及び液体物の運搬口部材の接合は、熱圧着により行われることを特徴とする、液体物の運搬袋であり液体物の運搬袋の製造方法である。
【００１０】
また本発明は、該液体物の運搬口部材は該第一のフィルム部材及び第二のフィルム部材との接合部が略口唇状の形状を有する接合部位が設けられてなり、該接合部位と該第一のフィルム部材及び第二のフィルム部材とを接合することにより接合強度及び耐漏水性能を向上せしめたことを特徴とする、液体物の運搬袋であり液体物の運搬袋の製造方法である。
【００１１】
また本発明は、該液体物の運搬口部材は、略口唇状の形状を有する接合部位の両端部に更に接合補強部材が設けられてなり、さらに接合強度及び耐漏水性能を向上せしめたことを特徴とする、液体物の運搬袋であり液体物の運搬袋の製造方法である。
【００１２】
また本発明は、該第一のフィルム部材、第二のフィルム部材、第三のフィルム部材は、ポリエチレン製であることを特徴とする、液体物の運搬袋であり液体物の運搬袋の製造方法である。
【００１３】
また本発明は、該第一のフィルム部材、第二のフィルム部材、第三のフィルム部材は三層構造であり、内層及び外層がポリエチレンであることを特徴とし、さらに、内層及び外層がポリエチレンであり、中層がナイロンであることを特徴とする、液体物の運搬袋であり液体物の運搬袋の製造方法である。
【００１４】
また本発明は、該第一のフィルム部材、第二のフィルム部材、第三のフィルム部材は、ポリエチレン層を含み、該ポリエチレン層は高密度ポリエチレンであることを特徴とする、液体物の運搬袋であり液体物の運搬袋の製造方法である。
【００１５】
また本発明は、該第一のフィルム部材、第二のフィルム部材、第三のフィルム部材は、その水蒸気透過率が１０ｇ／ｍ2２４ｈ以下であることを特徴とする、液体物の運搬袋であり液体物の運搬袋の製造方法である。
【００１６】
また本発明は、該第一のフィルム部材、第二のフィルム部材、第三のフィルム部材は、その酸素ガス透過率が１０ｇ／ｍ2２４ｈ以下であることを特徴とする、液体物の運搬袋であり液体物の運搬袋の製造方法である。
【００１７】
また本発明は、該第一のフィルム部材、第二のフィルム部材、第三のフィルム部材は、その二酸化炭素ガス透過率が５０ｇ／ｍ2２４ｈ以下であることを特徴とする、液体物の運搬袋であり液体物の運搬袋の製造方法である。
【００１８】
また本発明は、該第一のフィルム部材、第二のフィルム部材、第三のフィルム部材は、その窒素ガス透過率が２ｇ／ｍ2２４ｈ以下であることを特徴とする、液体物の運搬袋であり液体物の運搬袋の製造方法である。
【００１９】
また本発明は、該第一のフィルム部材、第二のフィルム部材、第三のフィルム部材及び液体物の運搬口部材は、カドミウム及び鉛を含有しないことを特徴とする、液体物の運搬袋であり液体物の運搬袋の製造方法である。
【発明の効果】
【００２０】
本発明の液体物の運搬袋及び液体物の運搬袋の製造方法は、簡易な構成で堅牢で、接合強度及び耐漏水性能が高く、安全性と衛生面に優れた液体物の運搬袋及び液体物の運搬袋の製造方法を提供し、非常時の備えとして災害対策に効果を示すという利点がある。
【図面の簡単な説明】
【００２１】
【図１】図１は、本発明に係る液体物の運搬袋の外観を示した図面代用写真である。
【図２】図２は、本発明に係る液体物の運搬袋の略六角形の第三のフィルム部材を示した図面代用写真である。
【図３】図３は、本発明に係る液体物の運搬袋の略口唇状の形状を有する接合部位が設けられた液体物の運搬口部材を示した図面代用写真である。
【図４】図４は、本発明に係る液体物の運搬袋の略口唇状の形状を有する接合部位が設けられた液体物の運搬口部材の接合状態を示した図面代用写真である。
【図５】図５は、本発明に係る液体物の運搬袋の持ち手部材の接合状態を示した図面代用写真である。
【発明を実施するための形態】
【００２２】
本発明は、非常時の液体物の運搬運搬等に用いられる液体物の運搬袋であって、略八角形の第一及び第二のフィルム部材と、略六角形の第三のフィルム部材と、給排水のためのキャップ付きの液体物の運搬口部材と、持ち手部材とから構成され、第三のフィルム部材は第一及び第二のフィルム部材より相対的に面積が小さく、少なくとも第一のフィルム部材、第二のフィルム部材、第三のフィルム部材及び液体物の運搬口部材は融着、圧着或いは接着によって接合され、未注水の保管時には第三のフィルム部材が折り畳まれてコンパクトになり、注水或いは液体物の注入時はかかる部分がマチ状に展開することにより可搬体積を増大させることを特徴とする、液体物の運搬袋である。
【００２３】
また本発明は、非常時の液体物の運搬運搬等に用いられる液体物の運搬袋の製造方法であって、該液体物の運搬袋は略八角形の第一及び第二のフィルム部材と、略六角形の第三のフィルム部材と、給排水のためのキャップ付きの液体物の運搬口部材と、持ち手部材とから構成され、第三のフィルム部材は第一及び第二のフィルム部材より相対的に面積が小さく、少なくとも第一のフィルム部材、第二のフィルム部材、第三のフィルム部材及び液体物の運搬口部材は融着、圧着或いは接着によって接合され、未注水の保管時には第三のフィルム部材が折り畳まれてコンパクトになり、注水或いは液体物の注入時はかかる部分がマチ状に展開することにより可搬体積を増大させるものであり、略八角形の第一及び第二のフィルム部材及び略六角形の第三のフィルム部材を接合する第一の工程と、該第一及び第二のフィルム部材の辺部を接合する第二の工程と、該第一及び第二のフィルム部材と液体物の運搬口部材を接合する第三の工程と、持ち手部材の設置部位を回避して該第一及び第二のフィルム部材の上部を接合する第四の工程と、該持ち手部材を設置する第五の工程と、周辺部の余分な外形部を切除する第六の工程と、を経て製造されることを特徴とする、液体物の運搬袋の製造方法である。
【００２４】
また本発明は、該第一のフィルム部材、第二のフィルム部材、第三のフィルム部材及び液体物の運搬口部材の接合は、熱圧着により行われることを特徴とする、液体物の運搬袋であり液体物の運搬袋の製造方法である。
【００２５】
また本発明は、該液体物の運搬口部材は該第一のフィルム部材及び第二のフィルム部材との接合部が略口唇状の形状を有する接合部位が設けられてなり、該接合部位と該第一のフィルム部材及び第二のフィルム部材とを接合することにより接合強度及び耐漏水性能を向上せしめたことを特徴とする、液体物の運搬袋であり液体物の運搬袋の製造方法である。
【００２６】
また本発明は、該液体物の運搬口部材は、略口唇状の形状を有する接合部位の両端部に更に接合補強部材が設けられてなり、さらに接合強度及び耐漏水性能を向上せしめたことを特徴とする、液体物の運搬袋であり液体物の運搬袋の製造方法である。
【００２７】
また本発明は、該第一のフィルム部材、第二のフィルム部材、第三のフィルム部材は、ポリエチレン製であることを特徴とする、液体物の運搬袋であり液体物の運搬袋の製造方法である。
【００２８】
また本発明は、該第一のフィルム部材、第二のフィルム部材、第三のフィルム部材は三層構造であり、内層及び外層がポリエチレンであることを特徴とし、さらに、内層及び外層がポリエチレンであり、中層がナイロンであることを特徴とする、液体物の運搬袋であり液体物の運搬袋の製造方法である。
【００２９】
また本発明は、該第一のフィルム部材、第二のフィルム部材、第三のフィルム部材は、ポリエチレン層を含み、該ポリエチレン層は高密度ポリエチレンであることを特徴とする、液体物の運搬袋であり液体物の運搬袋の製造方法である。
【００３０】
また本発明は、該第一のフィルム部材、第二のフィルム部材、第三のフィルム部材は、その水蒸気透過率が１０ｇ／ｍ2２４ｈ以下であることを特徴とする、液体物の運搬袋であり液体物の運搬袋の製造方法である。
【００３１】
また本発明は、該第一のフィルム部材、第二のフィルム部材、第三のフィルム部材は、その酸素ガス透過率が１０ｇ／ｍ2２４ｈ以下であることを特徴とする、液体物の運搬袋であり液体物の運搬袋の製造方法である。
【００３２】
また本発明は、該第一のフィルム部材、第二のフィルム部材、第三のフィルム部材は、その二酸化炭素ガス透過率が５０ｇ／ｍ2２４ｈ以下であることを特徴とする、液体物の運搬袋であり液体物の運搬袋の製造方法である。
【００３３】
また本発明は、該第一のフィルム部材、第二のフィルム部材、第三のフィルム部材は、その窒素ガス透過率が２ｇ／ｍ2２４ｈ以下であることを特徴とする、液体物の運搬袋であり液体物の運搬袋の製造方法である。
【００３４】
また本発明は、該第一のフィルム部材、第二のフィルム部材、第三のフィルム部材及び液体物の運搬口部材は、カドミウム及び鉛を含有しないことを特徴とする、液体物の運搬袋であり液体物の運搬袋の製造方法である。
【００３５】
かかる構成及び製造方法によって、簡易な構成で堅牢で、接合強度及び耐漏水性能が高く、安全性と衛生面に優れた液体物の運搬袋及び液体物の運搬袋の製造方法を提供し、非常時の備えとして災害対策に有効な液体物の運搬袋及び液体物の運搬袋の製造方法が実現した。
【実施例１】
【００３６】
以下、本発明に係る液体物の運搬袋及び液体物の運搬袋の製造方法を図面を用いて説明する。図１は、本発明に係る液体物の運搬袋の外観を示した図面代用写真である。本発明に係る液体物の運搬袋は略八角形の第一及び第二のフィルム部材１、略六角形の第三のフィルム部材、給排水のためのキャップ付きの液体物の運搬口部材３及び持ち手部材４から構成され、第三のフィルム部材は第一及び第二のフィルム部材より相対的に面積が小さく、少なくとも第一のフィルム部材、第二のフィルム部材、第三のフィルム部材及び液体物の運搬口部材は融着、圧着或いは接着によって接合され、未注水の保管時には第三のフィルム部材が折り畳まれてコンパクトになり、注水或いは液体物の注入時はかかる部分がマチ状に展開することにより可搬体積を増大させるようになっている。
【００３７】
本発明に係る非常時の液体物の運搬運搬等に用いられる液体物の運搬袋の製造方法は、図１に示される部材が、略八角形の第一及び第二のフィルム部材１及び略六角形の第三のフィルム部材を接合する第一の工程と、該第一及び第二のフィルム部材１の辺部を接合する第二の工程と、該第一及び第二のフィルム部材１と液体物の運搬口部材３を接合する第三の工程と、持ち手部材４の設置部位を回避して該第一及び第二のフィルム部材の上部を接合する第四の工程と、該持ち手部材を設置する第五の工程と、周辺部の余分な外形部を切除する第六の工程と、を経て製造される。なお、接合部は図中５に見えている。
【００３８】
ここで、本実施例に於いては該第一のフィルム部材、第二のフィルム部材、第三のフィルム部材及び液体物の運搬口部材の接合は、熱圧着により行った。なお、係る接合は融着、圧着或いは接着のいずれを用いて行っても良いが、工程の簡便さからは熱圧着が優れていた。
【００３９】
図２は、本発明に係る液体物の運搬袋の略六角形の第三のフィルム部材を示した図面代用写真である。注水或いは液体物の注入時に底部を形成する略六角形の第三のフィルム部材２は、略八角形の第一及び第二のフィルム部材と接合されている。
【００４０】
図３は、本発明に係る液体物の運搬袋の略口唇状の形状を有する接合部位が設けられた液体物の運搬口部材を示した図面代用写真である。係る形状とすることにより、通常は略円形である液体物の運搬口部材に較べて接合部位の強度が向上し、接合強度及び耐漏水性能を向上せしめることが出来た。かかる液体物の運搬袋は飲料水のみならず油、調味料、酒類、その他の液体物の保存運搬に活用できる。具体的には、飲料水のみならず例えば食用油、醤油、酢、ドレッシングその他の調味料などにも好適に使用でき、さらには非常時には燃料用の油などの運搬にも活用することができる。
【００４１】
図４は、本発明に係る液体物の運搬袋の略口唇状の形状を有する接合部位が設けられた液体物の運搬口部材の接合状態を示した図面代用写真である。該液体物の運搬口部材３は、略口唇状の形状を有する接合部位の両端部に更に接合補強部材６が設けられてなり、さらに接合強度及び耐漏水性能を向上している。
【００４２】
ここで、本実施例に於いては該第一のフィルム部材、第二のフィルム部材、第三のフィルム部材は、ポリエチレン層を含むようにし、該ポリエチレン層は高密度ポリエチレンを用いた。なお、本発明は、該第一のフィルム部材、第二のフィルム部材、第三のフィルム部材は、ポリエチレン製であれば問題なく、該第一のフィルム部材、第二のフィルム部材、第三のフィルム部材は三層構造であり、内層及び外層がポリエチレンであって、内層及び外層がポリエチレンであり、中層がナイロンであることが望ましく、本実施例のような構成がさらに望ましい。
【００４３】
本実施例に於ける該第一のフィルム部材、第二のフィルム部材、第三のフィルム部材は、その水蒸気透過率が１０ｇ／ｍ2２４ｈ以下であった。また、その酸素ガス透過率が１０ｇ／ｍ2２４ｈ以下であった。さらに、その二酸化炭素ガス透過率が５０ｇ／ｍ2２４ｈ以下であった。さらに、その窒素ガス透過率が２ｇ／ｍ2２４ｈ以下であった。これらの特性を有するため、本発明に係る液体物の運搬袋は安全性と衛生面に優れたものであった。かかる液体物の運搬袋は飲料水のみならず油、調味料、酒類、その他の液体物の保存運搬に活用できる。具体的には、飲料水のみならず例えば食用油、醤油、酢、ドレッシングその他の調味料などにも好適に使用でき、さらには非常時には燃料用の油などの運搬にも活用することができる。これらの特性を満たすことにより、例えばワインなど酸化に敏感な酒類やジュースなどにも本発明に係る液体物の運搬袋は好適に用いられる。
【００４４】
また、本発明に係る液体物の運搬袋はその構成材料の選択によりカドミウム及び鉛を含有しない。これは、国内に於いて非常用液体物の運搬袋として使用する要件であり、本発明に係る液体物の運搬袋はこれを満足していた。
【００４５】
図５は、本発明に係る液体物の運搬袋の持ち手部材の接合状態を示した図面代用写真である。かかる構造としたため、重量が大きくなる注水或いは液体物の注入後の液体物の運搬袋の運搬が容易になるとともに、堅牢で、接合強度及び耐漏水性能が高く、安全性と衛生面に優れた液体物の運搬袋及び液体物の運搬袋の製造方法が実現された。かかる液体物の運搬袋は油、調味料、酒類、その他の液体物の保存運搬にも活用できる。
【産業上の利用可能性】
【００４６】
本発明の液体物の運搬袋及び液体物の運搬袋の製造方法は、簡易な構成で堅牢で、接合強度及び耐漏水性能が高く、安全性と衛生面に優れた液体物の運搬袋及び液体物の運搬袋の製造方法を提供し、非常時の備えとして災害対策に効果を示し、社会的及び経済的に利用可能性は大である。かかる液体物の運搬袋は油、調味料、酒類、その他の液体物の保存運搬にも活用できる。
【符号の説明】
【００４７】
１    略八角形の第一及び第二のフィルム部材
２    略六角形の第三のフィルム部材
３    給排水のためのキャップ付きの液体物の運搬口部材
４    持ち手部材
５    接合部
６    略口唇状の形状を有する接合部位の両端部に設けられた接合補強部材
【図１】
2018012543.tif 000003
【図２】
2018012543.tif 000004
【図３】
2018012543.tif 000005
【図４】
2018012543.tif 000006
【図５】
2018012543.tif 000007